(57)【要約】【課題】  画像読み取り機能及びファクシミリ機能を有する多機能画像形成装置において、上下（高さ）寸法を小型にすることにより、多機能画像形成装置の設置性を向上させる。【解決手段】  多機能画像形成装置の前面側に操作パネル部８０及び原稿挿入口４２ａを設けるとともに、原稿排出口４２ｂを略水平方向に向けて開口させる。これにより、画像読み取りが完了した原稿は、略水平方向に向けて開口した原稿排出口４２ｂから排出されるので、排出された原稿を載置するための排出トレイ等を上方側に延びるように設ける必要がない。したがって、多機能画像形成装置１の上下（高さ）寸法を小型にすることができるので、上方側に比較的大きな空間を確保する必要がなく、多機能画像形成装置１の設置性を向上させることができる。【選択図】  図３
2007142497.tif 000002
【特許請求の範囲】
【請求項１】
記録媒体に画像を形成する画像形成部と、
原稿に記載されている画像を読み取る画像読取手段と、
前記画像形成部及び前記画像読取手段を収納する筐体と、
ユーザにより操作される操作パネル部と、
原稿挿入口から挿入された原稿を前記画像読取手段を経由して原稿排出口まで搬送する原稿搬送手段とを備え、
前記原稿挿入口及び前記操作パネル部は、前記筐体の側壁部側に設けられおり、
さらに、前記原稿排出口は、略水平方向に向けて開口していることを特徴とする画像形成装置。
【請求項２】
前記原稿挿入口及び前記操作パネル部を覆う状態と、前記原稿挿入口及び前記操作パネル部を露出させる状態とを切り替えるカバー部材が前記筐体に設けられていることを特徴とする請求項１に記載の画像形成装置。
【請求項３】
前記カバー部材に前記操作パネル部が設けられていることを特徴とする請求項２に記載の画像形成装置。
【請求項４】
前記画像形成部は、
前記筐体の下方側に設けられ、画像形成前の記録媒体が収納された媒体供給トレイと、
前記媒体供給トレイの上方側に設けられ、前記媒体供給トレイから搬送されてきた記録媒体に画像を転写する画像転写部と、
前記画像転写部より記録媒体の搬送方向下流側であって、かつ、前記画像転写部より上方側に設けられ、記録媒体に転写された画像を定着させる定着部と、
前記媒体供給トレイから供給された記録媒体を前記画像転写部に搬送するとともに、定着が終えた記録媒体を前記筐体の上方側に設けられた排出トレイに搬送することにより、前記媒体供給トレイから前記排出トレイに至る略Ｕ字状に湾曲した媒体搬送経路を構成する記録媒体搬送手段と
を有して構成されていることを特徴とする請求項１ないし３のいずれか１つに記載の画像形成装置。
【請求項５】
前記画像読取手段は、前記筐体内のうち前記排出トレイの下方側に相当する部位に収納されていることを特徴とする請求項４に記載の画像形成装置。
【請求項６】
前記画像形成部は、
前記筐体の下方側に設けられ、画像形成前の記録媒体が収納された媒体供給トレイと、
前記媒体供給トレイの上方側に設けられ、記録媒体に画像を転写する画像転写部と、
前記画像転写部より記録媒体の搬送方向下流側に設けられ、記録媒体に転写された画像を定着させる定着部と、
前記媒体供給トレイから供給される記録媒体の搬送方向を略１８０°転向させて前記画像転写部に搬送するとともに、定着が終えた記録媒体の搬送方向を略１８０°転向させて記録媒体を前記筐体の上方側に設けられた排出トレイに搬送することにより、前記媒体供給トレイから前記排出トレイに至る略Ｓ字状の媒体搬送経路を構成する記録媒体搬送手段と
を有して構成されており、
さらに、前記画像読取手段は、前記筐体のうち前記原稿挿入口側に配置されていることを特徴とする請求項１ないし３のいずれか１つに記載の画像形成装置。
【請求項７】
前記画像読取手段にて画像の読み取りが終了した原稿を前記排出トレイに搬送する原稿搬送手段を備えることを特徴とする請求項４ないし６のいずれか１つに記載の画像形成装置。
【請求項８】
前記画像読取手段にて画像の読み取りが終了した原稿を前記排出トレイに搬送する原稿搬送経路を構成する原稿搬送手段を備え、
前記媒体搬送経路の一部と前記原稿搬送経路の一部とが共用化されていることを特徴とする請求項６に記載の画像形成装置。
【請求項９】
前記媒体搬送経路のうち、前記媒体供給トレイから供給される記録媒体の搬送方向が略１８０°転向する部位より搬送方向下流側において、前記媒体搬送経路の一部と前記原稿搬送経路の一部とが共用化されていることを特徴とする請求項８に記載の画像形成装置。
【請求項１０】
前記原稿排出口とは別に、前記画像形成部にて画像形成を終えた記録媒体が排出される媒体排出口が設けられていることを特徴とする請求項１ないし３のいずれか１つに記載の画像形成装置。
【請求項１１】
前記画像読取手段にて読み取られた画像を送信するとともに、送信されてきた画像を前記画像形成部側に送る画像送受信手段を備えることを特徴とする請求項１ないし１０のいずれか１つに記載の画像形成装置。
【発明の詳細な説明】
【技術分野】
【０００１】
本発明は、画像読み取り機能を有する画像形成装置に関するもので、特に、送受信機能を備えるファクシミリ装置に適用して有効である。
【背景技術】
【０００２】
画像読み取り機能を有する画像形成装置として、例えば特許文献１に記載の発明では、読み取り用の原稿が載置される読取原稿載置ガイドを本体部の上方側に設けるとともに、読取原稿載置ガイドに載置された原稿を後部上方側から前部下方側に搬送しながら原稿に記載された画像を読み取る構造となっている。
【特許文献１】特開２０００−４９９８９号公報
【発明の開示】
【発明が解決しようとする課題】
【０００３】
しかし、特許文献１に記載の発明のような、いわゆるシートフィード（ＳＦ）方式の画像読取機能付き画像形成装置では、読取原稿載置ガイドが画像形成装置の筐体の上部から更に上方側に向けて延びているので、画像形成装置の上下（高さ）寸法が必然的に大きくなってしまう。このため、特許文献１に記載の発明では、上方側に比較的大きな空間を確保することができない場所に設置できないという問題がある。
【０００４】
また、ＳＦ方式の画像形成装置は、棚の上に設置されることが多いが、ＳＦ方式の画像形成装置を設置するには、上方側に比較的大きな空間を確保する必要があるため、画像形成装置の上方側に他に用途がない比較的に大きな無駄な空間（デットスペース）が発生し易いという問題がある。
【０００５】
本発明は、上記点に鑑み、画像読み取り機能を有する画像形成装置において、上下（高さ）寸法を小型にすることにより、画像形成装置の設置性を向上させることを目的とする。
【課題を解決するための手段】
【０００６】
本発明は、上記目的を達成するために、請求項１に記載の発明では、記録媒体に画像を形成する画像形成部（１０）と、原稿に記載されている画像を読み取る画像読取手段（４３）と、画像形成部（１０）及び画像読取手段（４３）を収納する筐体（３）と、ユーザにより操作される操作パネル部（８０）と、原稿挿入口（４２ａ）から挿入された原稿を画像読取手段（４３）を経由して原稿排出口（４２ｂ）まで搬送する原稿搬送手段（４１）とを備え、原稿挿入口（４２ａ）及び操作パネル部（８０）は、筐体（３）の側壁部（３ｂ）側に設けられおり、さらに、原稿排出口（４２ｂ）は、略水平方向に向けて開口していることを特徴とする。
【０００７】
通常、画像形成装置は、操作パネル部（８０）側を前面として設置されるので、本発明に係る画像形成装置では、原稿挿入口（４２ａ）が画像形成装置の前面側に位置することになり、読み取り用の原稿は、前面側から画像形成装置に挿入されることになる。このため、本発明では、読取原稿載置ガイド等を画像形成装置の上部に設ける必要がない。
【０００８】
また、画像読み取りが完了した原稿は、略水平方向に向けて開口した原稿排出口（４２ｂ）から排出されるので、排出された原稿を載置するための排出トレイ等を上方側に延びるように設ける必要がない。
【０００９】
したがって、画像形成装置の上下（高さ）寸法を小型にすることができるので、上方側に比較的大きな空間を確保する必要がなく、画像形成装置の上方側に比較的に大きなデットスペースが発生してしまうことを防止できる。延いては、棚の中等の比較的高さの低いスペースに画像形成装置を設置することができ、画像形成装置の設置性を向上させることができる。
【００１０】
請求項２に記載の発明では、原稿挿入口（４２ａ）及び操作パネル部（８０）を覆う状態と、原稿挿入口（４２ａ）及び操作パネル部（８０）を露出させる状態とを切り替えるカバー部材（３ｃ）が筐体（３）に設けられていることを特徴とする。
【００１１】
これにより、原稿挿入口（４２ａ）及び操作パネル部（８０）に塵埃等が付着することを抑制できるので、例えば原稿排出口（４２ｂ）から進入した塵埃により画像読取手段（４３）が汚れてしまうことを未然に防止できるとともに、原稿挿入口（４２ａ）及び操作パネル部（８０）の機能形状に拘束されることなく、画像形成装置の意匠形状を美観に優れたものとすることが可能となる。
【００１２】
なお、請求項２に記載の発明において、操作パネル部（８０）は、請求項３に記載の発明のごとく、カバー部材（３ｃ）に設けることが望ましい
請求項４に記載の発明では、画像形成部（１０）は、筐体（３）の下方側に設けられ、画像形成前の記録媒体が収納された媒体供給トレイ（２１）と、媒体供給トレイ（２１）の上方側に設けられ、媒体供給トレイ（２１）から搬送されてきた記録媒体に画像を転写する画像転写部（５０、６０）と、画像転写部（５０、６０）より記録媒体の搬送方向下流側であって、かつ、画像転写部（５０、６０）より上方側に設けられ、記録媒体に転写された画像を定着させる定着部（７０）と、媒体供給トレイ（２１）から供給された記録媒体を画像転写部（５０、６０）に搬送するとともに、定着が終えた記録媒体を筐体（３）の上方側に設けられた排出トレイ（５）に搬送することにより、媒体供給トレイ（２１）から排出トレイ（５）に至る略Ｕ字状に湾曲した媒体搬送経路（Ｌ１）を構成する記録媒体搬送手段とを有して構成されていることを特徴とする。
【００１３】
ところで、記録媒体を滑らかに搬送させながら、その搬送方向を転向させる際には、転向部の曲率半径をできるだけ大きくすることが望ましいが、転向部の曲率半径を大きくすると、画像形成装置の水平方向寸法が大きくなってしまう。
【００１４】
このため、仮に媒体搬送経路を略Ｓ字状とすると、略Ｕ字状の媒体搬送経路と比べて転向部の数が多くなってしまうので、画像形成装置の水平方向寸法が大きくなってしまう。つまり、媒体搬送経路を略Ｕ字状とすれば、略Ｓ字状の媒体搬送経路を有する画像形成装置に比べて画像形成装置の水平方向寸法を小さくすることができる。
【００１５】
したがって、請求項４に記載の発明のごとく、媒体搬送経路を略Ｕ字状とすれば、画像読取手段（４３）を設けても画像形成装置の水平方向寸法が拡大してしまうことを抑制できる。
【００１６】
そして、請求項４の場合において、請求項５に記載の発明のごとく、画像読取手段（４３）を筐体（３）内のうち排出トレイ（５）の下方側に相当する部位に収納すれば、排出トレイ（５）の下方側に発生するデットスペースに画像読取手段（４３）を配置することとなるので、画像読取手段（４３）を設けることによって画像形成装置が更に大型化してしまうことを防止しつつ、画像形成装置の水平方向寸法が大きくなってしまうことを抑制することができる。
【００１７】
請求項６に記載の発明では、画像形成部（１０）は、筐体（３）の下方側に設けられ、画像形成前の記録媒体が収納された媒体供給トレイ（２１）と、媒体供給トレイ（２１）の上方側に設けられ、記録媒体に画像を転写する画像転写部（５０、６０）と、画像転写部（５０、６０）より記録媒体の搬送方向下流側に設けられ、記録媒体に転写された画像を定着させる定着部（７０）と、媒体供給トレイ（２１）から供給される記録媒体の搬送方向を略１８０°転向させて画像転写部（５０、６０）に搬送するとともに、定着が終えた記録媒体の搬送方向を略１８０°転向させて記録媒体を筐体（３）の上方側に設けられた排出トレイ（５）に搬送することにより、媒体供給トレイ（２１）から排出トレイ（５）に至る略Ｓ字状の媒体搬送経路（Ｌ１）を構成する記録媒体搬送手段とを有して構成されており、さらに、画像読取手段（４３）は、筐体（３）のうち原稿挿入口（４２ａ）側に配置されていることを特徴としている。
【００１８】
前述したように、媒体搬送経路（Ｌ１）を略Ｕ字状とすると、画像形成装置の水平方向寸法が拡大することを抑制できるものの、定着部（７０）を画像転写部（５０、６０）より上方側に配置せざるを得ないので、画像形成装置の上下（高さ）方向寸法が拡大してしまうおそれがある。これに対して、媒体搬送経路（Ｌ１）を略Ｓ字状とすると、定着部（７０）と画像転写部（５０、６０）とを水平方向に並べるように配置することが可能となる。
【００１９】
したがって、請求項６に記載の発明のごとく、媒体搬送経路（Ｌ１）を略Ｓ字状とすれば、画像形成装置の上下寸法の拡大を抑制することができる。
請求項７に記載の発明では、画像読取手段（４３）にて画像の読み取りが終了した原稿を排出トレイ（５）に搬送する原稿搬送手段を備えることを特徴とする。
【００２０】
これにより、画像形成が終了した記録媒体が載置されるトレイと画像読み取りが終了した原稿が載置されるトレイとを共用化することができるので、画像形成装置の小型化を図ることができる。
【００２１】
請求項８に記載の発明では、画像読取手段（４３）にて画像の読み取りが終了した原稿を排出トレイ（５）に搬送する原稿搬送経路（Ｌ２）を構成する原稿搬送手段を備え、媒体搬送経路（Ｌ１）の一部と原稿搬送経路（Ｌ２）の一部とが共用化されていることを特徴とする。
【００２２】
これにより、原稿搬送経路（Ｌ２）と媒体搬送経路（Ｌ１）とがそれぞれ独立して設けられている場合に比べて、画像形成装置の小型化を図ることができる。
なお、媒体搬送経路（Ｌ１）と原稿搬送経路（Ｌ２）の一部とを共用化するにあたっては、請求項９に記載の発明のごとく、媒体搬送経路（Ｌ１）のうち、媒体供給トレイ（２１）から供給される記録媒体の搬送方向が略１８０°転向する部位より搬送方向下流側において、媒体搬送経路（Ｌ１）の一部と原稿搬送経路（Ｌ２）の一部とを共用化することが望ましい。
【００２３】
また、本発明は、請求項１０に記載の発明のごとく、原稿排出口（４２ｂ）とは別に、画像形成部（１０）にて画像形成を終えた記録媒体が排出される媒体排出口（７）を設けても実施することができる。
【００２４】
また、本発明は、請求項１１に記載の発明のごとく、画像読取手段（４３）にて読み取られた画像を送信するとともに、送信されてきた画像を画像形成部（１０）側に送る画像送受信手段（９０）を設けることにより、ファクシミリ機能を備えるようにしてもよい。
【００２５】
因みに、上記各手段等の括弧内の符号は、後述する実施形態に記載の具体的手段等との対応関係を示す一例であり、本発明は上記各手段等の括弧内の符号に示された具体的手段に限定されるものではない。
【発明を実施するための最良の形態】
【００２６】
本実施形態は本発明に係る画像形成装置を、電子写真方式の画像形成機能（レーザプリンタ機能）、画像読み取り機能（スキャナ機能）及びファクシミリ機能を有する多機能画像形成装置に適用したものであり、以下に本実施形態を図面と共に説明する。
【００２７】
（第１実施形態）
１．多機能画像形成装置の外観構成
図１は本実施形態に係る多機能画像形成装置１の外観を示す斜視図であり、この多機能画像形成装置１は、紙面上側を重力方向上方側として設置され、通常、紙面手前側を前側として使用される。
【００２８】
そして、多機能画像形成装置１の筐体３の上面側には、印刷を終えて筐体３から排出される記録媒体が載置される排紙トレイ５が設けられている。なお、本実施形態では、記録媒体として、紙やＯＨＰシート等の用紙を想定している。
【００２９】
また、排紙トレイ５は、後方側に向かうほど、筐体３の上面から下がるように傾斜した載置面５ａにて構成されており、この載置面５ａの後端側には、印刷が終了した記録媒体が排出される排出部７が設けられている。
【００３０】
そして、排紙トレイ５のうち多機能画像形成装置１の前面側に相当する部位には、載置面５ａを拡張する拡張トレイ５ｂが設けられており、以降、特に断りがない場合には、拡張トレイ５ｂも含めて排紙トレイ５と呼ぶ。
【００３１】
因みに、本実施形態では、拡張トレイ５ｂは、載置面５ａに回転可能に組み付けられているが、本発明はこれに限定されるものではなく、例えば拡張トレイ５ｂを載置面５ａに着脱可能に組み付けてもよい。
【００３２】
２．多機能画像形成装置の構成
２．１．概略構成
図２は多機能画像形成装置１の要部を示す側断面図である。そして、画像形成部１０は記録媒体に画像を形成する画像形成手段を構成するものであり、フィーダ部２０は、画像形成部１０に記録媒体を供給する搬送手段の一部を構成するもので、このフィーダ部２０は、後述する給紙トレイ２１から給紙された記録媒体の搬送方向をＵターンさせるように略１８０°転向させて、給紙トレイ２１の上方側に配置された画像形成部１０に記録媒体を搬送する。
【００３３】
排出シュート３０は、画像形成部１０にて画像形成が終了した記録媒体の搬送方向をＵターンさせるように略１８０°転向させて、記録媒体を定着ユニット７０の上方に設けられた排出部７に案内する案内部材を構成するものである。
【００３４】
また、排出シュート３０により形成される記録媒体の搬送経路３１の最下流部には、搬送されてきた記録媒体を排紙トレイ５に排出する排出ローラ３２が設けられており、本実施形態に係る排出ローラ３２は、両面印刷時に、その回転方向を逆転させて片面印刷が終了した記録媒体を両面印刷用の搬送経路３３に搬送する搬送方向逆転機能を有している。
【００３５】
そして、筐体３の側壁部、つまり筐体３の前面部３ａ側には、原稿に記載されている画像を読み取る画像読取部（画像スキャナ部）４０が収納されている。なお、以下、筐体３のうち、画像形成部１０が収納されている部分を筐体本体部３ｂと呼び、画像読取部４０が収納された前面部３ａをスキャナ筐体部３ａと呼ぶ。
【００３６】
また、送受信基板９０は、画像読取部４０にて読み取られた画像データを変換して電話回線を介して他のファクシミリ装置に送信するとともに、他のファクシミリ装置から送信されてきた画像データを受信して画像形成部１０に送る画像送受信手段を構成するものである。
【００３７】
２．３．フィーダ部
フィーダ部２０は、筐体３の最下部に収納された給紙トレイ２１、給紙トレイ２１の前端部上方に設けられて給紙トレイ２１に載置された記録媒体を画像形成部１０に給紙（搬送）する給紙ローラ２２、及び給紙ローラ２２と対向する部位に配設されて記録媒体に所定の搬送抵抗を与えることにより記録媒体を１枚毎に分離する分離パッド２３等を有して構成されている。
【００３８】
そして、給紙トレイ２１に載置されている記録媒体は、筐体３内の前方側にてＵターンするようにして、筐体３内の略中央部に配設された画像形成部１０に搬送される。このため、給紙トレイ２１から画像形成部１０に至る記録媒体の搬送経路のうち、略Ｕ字状に転向する部位には、略Ｕ字状に湾曲しながら画像形成部１０に搬送される記録媒体に搬送力を与える搬送ローラ２４が配設されている。
【００３９】
なお、記録媒体を挟んで搬送ローラ２４と対向する部位には、記録媒体を搬送ローラ２４に押さえ付ける加圧ローラ２５が配設されており、この加圧ローラ２５は、コイルバネ等の弾性手段（図示せず。）にて搬送ローラ２４側に押圧されている。
【００４０】
また、給紙トレイ２１から画像形成部１０に至る搬送経路のうち画像形成部１０の入口には、記録媒体に搬送抵抗を付与して記録媒体の搬送状態を整える一対のローラからなるレジストローラ２６が配設されている。
【００４１】
２．３．画像形成部
画像形成部１０は、露光装置（スキャナ部）５０、プロセスカートリッジ６０及び定着ユニット７０等を有して構成されている。
【００４２】
２．３．１．露光装置
露光装置５０は、筐体３内の上部に設けられて後述する感光ドラム６１の表面に静電潜像を形成するものであり、具体的には、レーザ光源、ポリゴンミラー、ｆθレンズ、及び反射鏡等から構成されている。
【００４３】
そして、画像データに基づいてレーザ光源から発光されるレーザビームは、ポリゴンミラーで偏向されて、ｆθレンズを通過した後、反射鏡によって光路が折り返された後、反射鏡によってさらに光路が下方に屈曲されることにより、感光ドラム６１の表面上に照射され、静電潜像が形成される。
【００４４】
２．３．２．プロセスカートリッジ
プロセスカートリッジ６０は、露光装置５０の下方側において着脱可能に筐体３内に配設されており、このプロセスカートリッジ６０は、感光ドラム６１、帯電器６２、転写ローラ６３及び現像カートリッジ６４等から構成されている。
【００４５】
そして、感光ドラム６１は、記録媒体に転写される画像を担持する画像担持手段をなすもので、最表層がポリカーボネート等からなる正帯電性の感光層により形成される円筒状のドラム本体６１ａと、このドラム本体６１ａの軸心において、ドラム本体６１ａの長手方向に沿って延びてドラム本体６１ａを回転可能に支持するドラム軸６１ｂとを有して構成されている。
【００４６】
帯電器６２は、感光ドラム６１の表面を帯電させる帯電手段をなすもので、感光ドラム６１の後側斜め上方において、感光ドラム６１と接触しないように所定間隔を有して感光ドラム６１と対向配設されている。なお、本実施形態に係る帯電器６２は、コロナ放電を利用して感光ドラム６１の表面に略均一に正電荷を帯電させるスコロトロン型帯電器を採用している。
【００４７】
転写ローラ６３は、感光ドラム６１と対向して配設されて感光ドラム６１の回転と連動して回転し、記録媒体が感光ドラム６１近傍を通過する際に、感光ドラム６１に帯電した電荷と反対の電荷（本実施形態では、負電荷）を印刷面とは反対側から記録媒体に作用させることにより、感光ドラム６１の表面に付着したトナーを記録媒体の印刷面に転写させる転写手段をなすものである。
【００４８】
現像カートリッジ６４は、トナーが収容されたトナー収容室６４ａ、トナーを感光ドラム６１に供給するトナー供給ローラ６４ｂ及び現像ローラ６４ｃ等を有して構成されている。
【００４９】
そして、トナー収容室６４ａに収容されているトナーは、トナー供給ローラ６４ｂの回転によって現像ローラ６４ｃ側に供給され、さらに、現像ローラ６４ｃ側に供給されたトナーは、現像ローラ６４ｃの表面に担持されるとともに、層厚規制ブレード６４ｄにより担持されたトナーの厚みが所定の厚みにて一定（均一）となるように調整された後、露光装置５０にて露光された感光ドラム６１の表面に供給される。
【００５０】
２．３．３．定着ユニット
定着ユニット７０は、記録媒体の搬送方向において感光ドラム６１より後流側に配設され、記録媒体に転写されたトナーを加熱溶融させて定着させるものである。具体的には、定着ユニット７０は、記録媒体の印刷面側に配設されてトナーを加熱しながら記録媒体に搬送力を付与する加熱ローラ７１、及び記録媒体を挟んで加熱ローラ７１と反対側に配設されて記録媒体を加熱ローラ７１側に押圧する加圧ローラ７２等を有して構成されている。
【００５１】
因みに、加熱ローラ７１は、図示しないモータ等の駆動手段により駆動され、一方、加圧ローラ７２は、加熱ローラ７１に接触する記録媒体を介して加熱ローラ７１から回転力を受けて従動回転する。
【００５２】
２．３．４．画像形成作動の概略
画像形成部１０においては、以下のようにして記録媒体に画像が形成される。
すなわち、感光ドラム６１の表面は、その回転に伴って、帯電器６２により一様に正帯電された後、露光装置５０から照射されるレーザビームの高速走査により露光される。これにより、感光ドラム６１の表面には、記録媒体に形成すべき画像に対応した静電潜像が形成される。
【００５３】
次いで、現像ローラ６４ｃの回転により、現像ローラ６４ｃ上に担持され、かつ、正帯電されているトナーが、感光ドラム６１に対向して接触するときに、感光ドラム６１の表面上に形成されている静電潜像、つまり、一様に正帯電されている感光ドラム６１の表面のうち、レーザビームによって露光され電位が下がっている露光部分に供給される。これにより、感光ドラム６１の静電潜像は、可視像化され、感光ドラム６１の表面には、反転現像によるトナー像が担持される。
【００５４】
その後、感光ドラム６１の表面上に担持されたトナー像は、転写ローラ６３に印加される転写バイアスによって記録媒体に転写される。そして、トナー像が転写された記録媒体は定着ユニット７０に搬送されて加熱され、トナー像として転写されたトナーが記録媒体に定着して、画像形成が完了する。
【００５５】
２．４．画像読取部４０
図３はスキャナ筐体部３ａの前面側に設けられたフロントカバー３ｃを閉じた状態を示す断面図であり、図４はフロントカバー３ｃを開いた状態を示す概略斜視図であり、図５はスキャナ筐体部３ｂを開いた状態を示す断面図である。なお、図４においては、構成を簡略化して図示している。
【００５６】
本実施形態に係る画像読取部４０は、読み取り用の原稿を自動搬送するオートドキュメントフィーダ機構４１（以下、ＡＤＦ機構４１と記す。）を有しており、このＡＤＦ機構４１は、図３及び図４に示すように、原稿挿入口４２ａから挿入された原稿を画像撮像素子４３を経由して原稿排出口４２ｂまで搬送する原稿搬送手段を構成するものである。
【００５７】
なお、ＡＤＦ装置４１は、後述する原稿トレイ３ｄに載置された原稿を引き込む引き込みローラ４１ａ、引き込みローラ４１ａと対向する部位に配設されて原稿に所定の搬送抵抗を与えることにより原稿を１枚毎に分離する分離パッド４１ｂ、原稿に搬送力を付与する搬送ローラ４１ｃ、及び原稿挿入口４２ａから画像撮像素子４３を経て原稿排出口４２ｂに至る略Ｕ字状の搬送経路を構成する案内壁４１ｄ等を有して構成されている。
【００５８】
また、本実施形態では、画像撮像素子４３として、ＣＩＳ（Contact Image Sensor）を用いており、このＣＩＳ（画像撮像素子４３）の長手方向は、紙面と垂直な方向、つまり画像撮像素子４３に搬送されてくる原稿の搬送方向と直交する方向に延びている。
【００５９】
そして、画像撮像素子４３の画像読取面側には、ガラスやアクリル等の透明な部材からなるプラテン（図示せず。）が配設されており、このプラテンを挟んで画像撮像素子４３と反対側には、図３に示すように、搬送されてくる原稿をプラテン側に押さえる原稿押さえ４４が配設されている。
【００６０】
また、原稿挿入口４２ａは、図４に示すように、フロントカバー３ｃを開いたときにスキャナ筐体部３ａ（筐体３）の前面側にて略水平方向に向けて開口するように設けられており、フロントカバー３ｃのうち原稿挿入口４２ａから連なる部位には、読み取り用の原稿が載置される原稿トレイ３ｄが設けられている。
【００６１】
一方、原稿排出口４２ｂも原稿挿入口４２ａと同様に、フロントカバー３ｃを開いたときにスキャナ筐体部３ａ（筐体３）の前面側にて略水平方向に向けて開口するように設けられており、本実施形態では、原稿排出口４２ｂは原稿挿入口４２ａよりも上方側に設けられている。
【００６２】
なお、排出原稿トレイ３ｅは、原稿排出口４２ｂから排出された原稿が載置される部位であり、この排出原稿トレイ３ｅは、スキャナ筐体部３ａ（筐体３）に対して回転（揺動）することができるようにスキャナ筐体部３ａ（筐体３）に組み付けられている。
【００６３】
また、フロントカバー３ｃの内側、つまりフロントカバー３ｃのうちフロントカバー３ｃを閉じた際に原稿挿入口４２ａ及び原稿排出口４２ｂと面する側には、ユーザがスキャナ機能やプリンタ機能等を設定操作するための操作パネル部８０が設けられている。
【００６４】
したがって、本実施形態に係る多機能画像形成装置１では、フロントカバー３ｃが閉じた状態では、原稿挿入口４２ａ、原稿排出口４２ｂ、及び操作パネル部８０がフロントカバー３ｃにより覆われた状態となり、一方、フロントカバー３ｃが開いた状態では、原稿挿入口４２ａ、原稿排出口４２ｂ、及び操作パネル部８０が前面側に露出した状態となる。
【００６５】
ところで、画像撮像素子４３及びＡＤＦ機構４１等の画像読取部４０を構成する機器は、スキャナ筐体部３ａ内に収納されているが、このスキャナ筐体部３ａは、図５に示すように、スキャナ筐体部３ａの下方側に設けられた回転軸３ｆを回転中心として、前面側に倒れるように回転することができるように構成されている。
【００６６】
このため、スキャナ筐体部３ａを前面側に回転させるようにして筐体本体部３ｂの前面側を開けば、プロセスカートリッジ６０の着脱、又は給紙トレイ２１に詰まった記録媒体を除去等を容易に行うことができる。
【００６７】
３．本実施形態に係る多機能画像形成装置１の特徴
通常、多機能画像形成装置１等の画像形成装置は、操作パネル部８０側を前面として設置されるので、本実施形態に係る多機能画像形成装置１では、原稿挿入口４２ａが多機能画像形成装置１の前面側に位置することになり、読み取り用の原稿は、前面側から多機能画像形成装置１（画像読取部４０）に挿入されることになる。このため、本実施形態では、「背景技術」の欄で述べたような読取原稿載置ガイド等を筐体３の上部に設ける必要がない。
【００６８】
また、画像読み取りが完了した原稿は、略水平方向に向けて開口した原稿排出口４２ｂから排出されるので、排出された原稿を載置するための排出トレイ等を上方側に延びるように設ける必要がない。
【００６９】
したがって、本実施形態では、多機能画像形成装置１の上下（高さ）寸法を小型にすることができるので、上方側に比較的大きな空間を確保する必要がなく、多機能画像形成装置１の上方側に比較的に大きなデットスペースが発生してしまうことを防止できる。延いては、棚の中等の比較的高さの低いスペースに多機能画像形成装置１を設置することができるので、多機能画像形成装置１の設置性を向上させることができる。
【００７０】
また、画像読取部４０（スキャン機能）を使用しない場合にフロントカバー３ｃを閉じておけば、原稿挿入口４２ａ、原稿排出口４２ｂ及び操作パネル部８０がフロントカバー３ｃにて覆われた状態となるので、原稿挿入口４２ａ、原稿排出口４２ｂ及び操作パネル部８０に塵埃等が付着することを抑制できる。
【００７１】
したがって、例えば原稿排出口４２ｂから進入した塵埃により画像撮像素子４３のセンサ部が汚れてしまうことを未然に防止できるとともに、原稿挿入口４２ａ、原稿排出口４２ｂ及び操作パネル部８０の機能形状に拘束されることなく、多機能画像形成装置１の外観意匠形状を美観に優れたものとすることが可能となる。
【００７２】
ところで、本実施形態では、給紙トレイ２１から給紙された記録媒体の搬送方向を略１８０°転向させて記録媒体を画像形成部１０に搬送した後、画像形成部１０から排出された記録媒体を排出シュート３０にて略１８０°転向させて排紙トレイ５に排出するので、給紙トレイ２１から排紙トレイ５に至る媒体搬送経路Ｌ１は、図２の太い実線で示されるように略Ｓ字状となる。
【００７３】
そして、媒体搬送経路Ｌ１を略Ｓ字状とすると、定着ユニット７０と露光装置（スキャナ部）５０及びプロセスカートリッジ６０とを略水平方向に並べるように配置することが可能となるので、多機能画像形成装置１の上下寸法が拡大することを抑制しつつ、多機能画像形成装置１の設置性を向上させることができる。
【００７４】
４．発明特定事項と本実施形態との対応関係
本実施形態では、フロントカバー３ｃが特許請求の範囲に記載されたカバー部材に相当し、給紙トレイ２１が特許請求の範囲に記載された媒体供給トレイに相当し、排紙トレイ５が特許請求の範囲に記載された排出トレイに相当し、露光装置５０及びプロセスカートリッジ６０が特許請求の範囲に記載された画像転写部に相当する。
【００７５】
また、定着ユニット７０が特許請求の範囲に記載された定着部に相当し、排出部７が特許請求の範囲に記載された媒体排出口に相当し、送受信基板９０が特許請求の範囲に記載された画像送受信手段に相当し、本実実施形態では、給紙ローラ２２、搬送ローラ２４及び排出シュート３０等により媒体搬送経路Ｌ１が構成されている。
【００７６】
（第２実施形態）
第１実施形態では、原稿挿入口４２ａから吸引された読み取り用の原稿は、スキャナ筐体部３ａ内でその搬送方向が上方側略１８０°転向されて、原稿挿入口４２ａの上方側に設けられた原稿排出口４２ｂから前面側に排出されたが、本実施形態は、画像読み取りが終了した原稿を排紙トレイ５に排出して排出原稿トレイ３ｅを廃止するとともに、給紙トレイ２１から供給される記録媒体の搬送方向が略１８０°転向する部位より搬送方向下流側において、原稿挿入口４２ａから排紙トレイ５に至る原稿搬送経路Ｌ２（図６太い二点鎖線）の一部と媒体搬送経路Ｌ１（図６の太い実線）の一部とを共用化したものである。
【００７７】
すなわち、図６〜図８は本実施形態に係る多機能画像形成装置１の断面を示す図であり、図６はフロントカバー３ｃ及びスキャナ筐体部３ａを閉じた状態を示す図であり、図７はスキャナ筐体部３ａを閉じた状態においてフロントカバー３ｃを開いた状態を示す図であり、図８はスキャナ筐体部３ａを開いて筐体本体部３ｂの前面側を開放した状態を示す図である。
【００７８】
そして、本実施形態では、画像撮像素子４３の読み取り面側を上方側に向けるとともに、原稿搬送経路Ｌ２（図６の太い実線）が、給紙ローラ２２より搬送方向下流側にて筐体本体部３ｂに設けられた媒体搬送経路Ｌ１（図６の太い二点鎖線）に合流するように構成されている。つまり、本実施形態では、プラテン（画像撮像素子４３）を通過した原稿は、搬送ローラ２４及び加圧ローラ２５に挟まれて媒体搬送経路Ｌ１に引き込まれる。
【００７９】
これにより、本実施形態では、画像形成が終了した記録媒体が載置される排紙トレイ５と画像読み取りが終了した原稿が載置される排出原稿トレイ３ｅとを共用化することができるので、多機能画像形成装置１の小型化を図ることができる。
【００８０】
また、媒体搬送経路Ｌ１の一部と原稿搬送経路（Ｌ２）の一部とが共用化されているので、原稿搬送経路Ｌ２と媒体搬送経路Ｌ１とがそれぞれ独立して設けられている場合に比べて、多機能画像形成装置１の小型化を図ることができる。
【００８１】
なお、本実施形態では、搬送ローラ２４、加圧ローラ２５及び排出ローラ３２等により、特許請求の範囲に記載された原稿搬送手段が構成されている。
（第３実施形態）
上述の実施形態では、媒体搬送経路Ｌ１が略Ｓ字状となっていたが、本実施形態は、図９の太い一点鎖線に示されるように、媒体搬送経路Ｌ１が略Ｕ字状となるように構成したものである。
【００８２】
なお、図９はフロントカバー３ｃ及びスキャナ筐体部３ａを閉じた状態を示す断面図であり、図１０はスキャナ筐体部３ａを閉じた状態においてフロントカバー３ｃを開いた状態を示す断面図であり、図１１はスキャナ筐体部３ａを開いて筐体本体部３ｂの前面側を開放した状態を示す断面図である。
【００８３】
１．本実施形態に係る多機能画像形成装置１の特徴的構造
本実施形態では、図９に示すように、給紙ローラ２２から排出される記録媒体は、その搬送方向が上方側に略９０°転向させられた後、排出ローラ３２及び案内ガイド３２ａ等により搬送方向が略水平方向に転向させられる。このため、給紙トレイ２１に載置されていた記録媒体は、後方側に向けて凸となるように略Ｕ字状に湾曲した媒体搬送経路Ｌ１に沿って搬送されることとなる。
【００８４】
なお、本実施形態では、露光装置５０及びプロセスカートリッジ６０の上方側に定着ユニット７０が配設されているので、給紙トレイ２１から排出されて上方側に略９０°転向した記録媒体は、定着ユニット７０から排出されて排出ローラ３２及び案内ガイド３２ａ等により搬送方向が略水平方向に転向させられるまでは、ほぼ直線的に鉛直方向に搬送される。
【００８５】
因みに、取っ手６０ａはプロセスカートリッジ６０を着脱する際に、プロセスカートリッジ６０持つための把持部である。
２．本実施形態に係る多機能画像形成装置１の特徴
記録媒体を滑らかに搬送させながら、その搬送方向を転向させる際には、転向部の曲率半径をできるだけ大きくすることが望ましいが、転向部の曲率半径を大きくすると、当然ながら多機能画像形成装置１の水平方向寸法が大きくなってしまう。
【００８６】
このため、仮に媒体搬送経路を略Ｓ字状とすると、略Ｕ字状の媒体搬送経路と比べて転向部の数が多くなってしまうので、多機能画像形成装置１の水平方向寸法が大きくなってしまう。つまり、媒体搬送経路Ｌ１を略Ｕ字状とすれば、略Ｓ字状の媒体搬送経路Ｌ１を有する多機能画像形成装置１に比べて多機能画像形成装置１の水平方向寸法を小さくすることができる。
【００８７】
また、本実施形態では、媒体搬送経路Ｌ１を略Ｕ字状として露光装置５０及びプロセスカートリッジ６０の上方側に定着ユニット７０を配設しているので、媒体搬送経路Ｌ１を略Ｓ字状として露光装置５０及びプロセスカートリッジ６０を水平方向に配設した場合に比べて、多機能画像形成装置１の水平方向寸法を小さくすることができる。
【００８８】
したがって、本実施形態のごとく、媒体搬送経路Ｌ１を略Ｕ字状とすれば、画像読取部４０を筐体本体部３ｂの前面側に設けても多機能画像形成装置１の水平方向寸法が拡大してしまうことを抑制できる。
【００８９】
また、本実施形態のごとく、画像読取部４０を排紙トレイ５（拡張トレイ５ｂを含む。）の下方側に相当する部位に収納すれば、排紙トレイ５の下方側に発生するデットスペースに画像読取部４０を配置することが可能となる。
【００９０】
つまり、本実施形態では、媒体搬送経路Ｌ１を略Ｕ字状としたことにより、筐体本体部３ｂの水平方向寸法（前後方向寸法）を小さくすることができたので、図９に示すように、スキャナ筐体部３ａを含む筐体３の水平方向寸法（前後方向寸法）を、給紙トレイ２１の水平方向寸法（前後方向寸法）と同等又はそれ以下とすることができる。
【００９１】
したがって、画像読取部４０を設けることによって多機能画像形成装置１が更に大型化してしまうことを防止しつつ、多機能画像形成装置１の水平方向寸法が大きくなってしまうことを抑制することができる。
【００９２】
ところで、本実施形態では、第１実施形態と同様に原稿搬送経路Ｌ２が媒体搬送経路Ｌ１と独立して別々に設けられ、かつ、画像形成が終了した記録媒体が載置される排紙トレイ５と画像読み取りが終了した原稿が載置される排出原稿トレイ３ｅとが独立して別々に設けられていたが、本実施形態はこれに限定されるものではない。
【００９３】
（その他の実施形態）
上述の実施形態では、画像形成部１０として、露光装置５０、プロセスカートリッジ６０及び定着ユニット７０等からなる電子写真方式の画像形成部を採用したが、本発明はこれに限定されるものではなく、例えばインクジェット方式の画像形成部を有する多機能画像形成装置に適用してもよい。
【００９４】
また、上述の実施形態では、フロントカバー３ｃのうち原稿挿入口４２ａ側の面（裏面）に操作パネル部８０が設けられていたが、本発明はこれに限定されるものではなく、例えば筐体本体部３ｂ、又はフロントカバー３ｃの表面に設けてもよい。また、操作パネル部８０を筐体本体部３ｂの上面側前面部に設けてもよい。
【００９５】
また、上述の実施形態では、スキャナ機能を使用しない場合には、フロントカバー３ｃにて原稿挿入口４２ａ等を覆っていたが、本発明はこれに限定されるものではなく、フロントカバー３ｃを廃止してもよい。
【００９６】
また、上述の実施形態では、ファクシミリ機能を備える多機能画像形成装置（画像形成装置）に本発明を適用したが、本発明の適用はこれに限定されるものではなく、ファクシミリ機能を備えていない画像形成装置にも適用することができる。
【００９７】
また、上述の実施形態では、画像撮像素子としてＣＩＳを用いたが、本発明はこれに限定されるものではなく、例えばＣＣＤ（Charge Coupled Devices）を用いてもよい。
また、本発明は、特許請求の範囲に記載された発明の趣旨に合致するものであればよく、上述の実施形態に限定されるものではない。
【図面の簡単な説明】
【００９８】
【図１】本発明の実施形態に係る多機能画像形成装置の外観図である。
【図２】本発明の第１実施形態に係る多機能画像形成装置１の要部を示す側断面図である。
【図３】本発明の第１実施形態に係る多機能画像形成装置１において、スキャナ筐体部３ａの前面側に設けられたフロントカバー３ｃを開いた状態を示す断面図である。
【図４】本発明の第１実施形態に係る多機能画像形成装置１の外観を簡略化した斜視図である。
【図５】本発明の第１実施形態に係る多機能画像形成装置１において、スキャナ筐体部３ｂを開いた状態を示す断面図である。
【図６】本発明の第２実施形態に係る多機能画像形成装置１において、フロントカバー３ｃ及びスキャナ筐体部３ａを閉じた状態を示す断面図である。
【図７】本発明の第２実施形態に係る多機能画像形成装置１において、スキャナ筐体部３ａを閉じた状態においてフロントカバー３ｃを開いた状態を示す断面図である。
【図８】本発明の第２実施形態に係る多機能画像形成装置１において、スキャナ筐体部３ａを開いて筐体本体部３ｂの前面側を開放した状態を示す断面図である。
【図９】本発明の第３実施形態に係る多機能画像形成装置１において、フロントカバー３ｃ及びスキャナ筐体部３ａを閉じた状態を示す断面図である。
【図１０】本発明の第３実施形態に係る多機能画像形成装置１において、スキャナ筐体部３ａを閉じた状態においてフロントカバー３ｃを開いた状態を示す断面図である。
【図１１】本発明の第３実施形態に係る多機能画像形成装置１において、スキャナ筐体部３ａを開いて筐体本体部３ｂの前面側を開放した状態を示す断面図である。
【符号の説明】
【００９９】
１…多機能画像形成装置、３…筐体、３ａ…スキャナ筐体部、３ｂ…筐体本体部、
３ｃ…フロントカバー、３ｄ…原稿トレイ、３ｅ…排出原稿トレイ、３ｆ…回転軸、
５…排紙トレイ、５ａ…載置面、５ｂ…拡張トレイ、７…排出部、
１０…画像形成部、２０…フィーダ部、２１…給紙トレイ、２２…給紙ローラ、
２４…搬送ローラ、２５…加圧ローラ、２６…レジストローラ、
３０…排出シュート、３１…搬送経路、３２…排出ローラ、３３…搬送経路、
４０…画像読取部、４１…オートドキュメントフィーダ機構（ＡＤＦ装置）、
４１ａ…引き込みローラ、４１ｂ…分離パッド、４１ｃ…搬送ローラ、
４２ａ…原稿挿入口、４２ａ…原稿挿入口、４２ｂ…原稿排出口、
４２ｂ…原稿排出口、４３…画像撮像素子、４４…原稿押さえ、５０…露光装置、
６０…プロセスカートリッジ、６１…感光ドラム、６１ａ…ドラム本体、
６１ｂ…ドラム軸、６２…帯電器、６３…転写ローラ、６４…現像カートリッジ、
６４ａ…トナー収容室、６４ｂ…トナー供給ローラ、６４ｃ…現像ローラ、
６４ｄ…層厚規制ブレード、７０…定着ユニット、７１…加熱ローラ、
７２…加圧ローラ、８０…操作パネル部、８０…操作パネル部、
９０…送受信基板、Ｌ１…媒体搬送経路、Ｌ２…原稿搬送経路。
【図１】
2007142497.tif 000003
【図２】
2007142497.tif 000004
【図３】
2007142497.tif 000005
【図４】
2007142497.tif 000006
【図５】
2007142497.tif 000007
【図６】
2007142497.tif 000008
【図７】
2007142497.tif 000009
【図８】
2007142497.tif 000010
【図９】
2007142497.tif 000011
【図１０】
2007142497.tif 000012
【図１１】
2007142497.tif 000013